(57)【特許請求の範囲】
【請求項１】
外壁に設けた開口に挿入して固定され、室内と室外を連通する筒体に回動自在に支持されて、前記筒体を開閉するシャッターを備え、前記シャッターを室内と室外の差圧によって開く状態と、強制的に閉じる状態と、強制的に開く状態とに選択して操作する構成とした差圧式自然給気口であって、前記シャッターを連結して連動させ、下部２箇所に突起を有する連結棒と、前記筒体の室内側端部に設けたフランジ部に設けた前記連結棒を保持する受け部と、前記連結棒の２箇所の突起に当接する突出部を有し、前記連結棒を上下に可動させ、保持するレバーとを設け、前記レバーの突出部を、前記レバ−の回動軸中心を通る水平方向に対して前記レバーの回動可能角度の１／４ずつ上下に傾けて鋭角に突出する形状としたことを特徴とする差圧式自然給気口。
【請求項２】
外壁に設けた開口に挿入して固定され、室内と室外を連通する筒体に回動自在に支持されて、前記筒体を開閉するシャッターを備え、前記シャッターを室内と室外の差圧によって開く状態と、強制的に閉じる状態と、強制的に開く状態とに選択して操作する構成とした差圧式自然給気口であって、前記シャッターを連結して連動させ、下部２箇所に突起を有する連結棒と、前記筒体の室内側端部に設けたフランジ部に設けた前記連結棒を保持する受け部と、前記連結棒の２箇所の突起に当接する突出部を有し、前記連結棒を上下に可動させ、保持するレバーとを設け、室内外の差圧による前記シャッター開度を調整自在とするおもりを取り付けられる穴部を前記連結棒に設け、前記連結棒の突起と共用できる構成としたことを特徴とする差圧式自然給気口。
【請求項３】
レバ−が中央に位置する状態において、シャッターを全開に回動させるのに必要なストローク分だけ連結棒が上方に移動したときに、前記連結棒の下部突起を前記レバーの突出部下端に当接させ、かつ前記連結棒が前記シャッターが閉じる状態まで下がったとき、前記連結棒の上部突起を前記レバーの突出部上端に当接させるように前記連結棒に鉛直方向に離して前記上部突起と前記下部突起を配設した請求項１または２記載の差圧式自然給気口。
【請求項４】
異なる質量のおもりを選択自在に設けた請求項２記載の差圧式自然給気口。
【請求項５】
筒体の室内側端部に設けたフランジ部におもりを係脱自在とした係合部を形成した請求項２または４記載の差圧式自然給気口。
【請求項６】
フランジ部に使用環境に応じて使用するおもりの種類を表示する表示部を設けた請求項５記載の差圧式自然給気口。
【発明の詳細な説明】
【０００１】
【発明の属する技術分野】
本発明は、建物の壁等に設置し、換気扇等の排気により発生する室内外の差圧に反応して給気を行なう差圧式自然給気口に関する。
【０００２】
【従来の技術】
従来、この種の差圧式自然給気口としては、通風路を遮断するシャッターの開閉原理から以下の２種に分けられる。一つはシャッターが回動するものであり、一つはシャッターが進退動するものである。前者の例としては、例えば、実公平７−４２０５２号公報に開示されるものがあり、後者の例としては、例えば、実公平７−３１０７６号公報に開示されるものがある。以下、その構成について図１０〜１１を参照しながら説明する。
【０００３】
図１０に示すように、筒体１０１内に差し渡したヒンジ軸１０２に一対の半円状のシャッター１０３を軸支させ、このシャッター１０３を室内側の減圧状態に応じて自然に開状態となるようにスプリング１０４により常時閉方向に付勢させ、一対のシャッター１０３をロック、解除自在とするロック手段１０５を備えていた。
【０００４】
また、図１１に示すように、筒体２０１により形成された通風路を遮断するシャッター２０２を通風路形成体に固定された軸部材２０３に支持させ、シャッター２０２をスプリング２０４により常時閉方向に付勢させ、シャッター２０２が室内外の圧力差に応じて前後に進退動することにより通風路を開閉する構造となっていた。
【０００５】
【発明が解決しようとする課題】
このような従来の差圧式自然給気口においては、室内外の圧力差が無い場合は、外風の流入、騒音を遮断するためシャッター１０３、２０２を常時閉方向に付勢するスプリング１０４、２０４が設けられているが、このスプリング１０４、２０４のシャッター付勢力が大きいと外風の流入、騒音の侵入を遮断する点では効果があるが、換気扇等の排気による室内外の差圧に対応した給気量が減少し、室内外の差圧が小さい場合はほとんど給気されないという課題があった。また、付勢力が小さいと給気風量は増加するが、外風の流入、騒音の侵入が増加し、共に室内に悪影響を及ぼすという課題があった。
【０００６】
本発明は上記課題を解決するためのもので、室内外の差圧が小さい場合でも最大限の給気風量を確保し、外風の流入、騒音の侵入を遮断できる差圧式自然給気口を提供することを目的とする。
【０００７】
【課題を解決するための手段】
本発明の差圧式自然給気口においては、外壁に設けた開口に挿入して固定され、室内と室外を連通する筒体に回動自在に支持されて、前記筒体を開閉するシャッターを備え、前記シャッターを室内と室外の差圧によって開く状態と、強制的に閉じる状態と、強制的に開く状態とに選択して操作する構成とし、さらに室内外の差圧によるシャッター開度を調整するおもりを取付可能な構造としたものである。
【０００８】
この本発明によれば、室内外の差圧が小さく給気風量が得られない場合は、シャッターを強制的に開く状態に選択して操作することにより、最大限の給気風量を確保でき、また、外風の流入、騒音の侵入の影響が大きい場合は、おもりを取り付け、シャッター開度を調整することにより、外風の流入、騒音の侵入を遮断できる差圧式自然給気口を提供することができる。
【０００９】
【発明の実施の形態】
本発明の請求項１に記載の発明は、外壁に設けた開口に挿入して固定され、室内と室外を連通する筒体に回動自在に支持されて、前記筒体を開閉するシャッターを備え、前記シャッターを室内と室外の差圧によって開く状態と、強制的に閉じる状態と、強制的に開く状態とに選択して操作する構成とした差圧式自然給気口であって、前記シャッターを連結して連動させ、下部２箇所に突起を有する連結棒と、前記筒体の室内側端部に設けたフランジ部に設けた前記連結棒を保持する受け部と、前記連結棒の２箇所の突起に当接する突出部を有し、前記連結棒を上下に可動させ、保持するレバーとを設け、前記レバーの突出部を、前記レバ−の回動軸中心を通る水平方向に対して前記レバーの回動可能角度の１／４ずつ上下に傾けて鋭角に突出する形状としたものであり、シャッターを強制的に開く状態に選択することにより、室内外の差圧が小さい場合でも最大限の給気風量を確保でき、さらに、レバーの回動操作をより円滑にしてシャッターの開閉操作を行うことができるという作用を有する。
【００１０】
以下、本発明の実施の形態について図１〜図９を参照しながら説明する。
【００１１】
（実施の形態１）
図１および図２に示すように、外壁１に設けた開口に挿入して固定され、室内と室外を連通する筒体２に回動自在に支持されて、この筒体２を開閉する複数枚のシャッター３と、複数枚のシャッター３を連結して連動させ、下部２箇所に突起４を有する連結棒５とを備え、連結棒５を保持する受け部６を筒体２の室内側端部に設けたフランジ部７に設け、回動して連結棒５の２箇所の突起４に当接する突出部８を有するレバ−９をフランジ部７に配設し、連結棒５の下部突起４ｂが、レバ−９を中央に固定させる状態において、シャッター３を全開に回動させるのに必要なストローク分だけ連結棒５が上方に移動したときに突出部８下端に当接し、連結棒５がシャッター３が閉じる状態まで下方に移動したとき、上部突起４ａが突出部８上端に当接するように鉛直方向に離して上部突起４ａと下部突起４ｂを配設する構成とする。また、図３に示すように、レバー９を中央の固定位置を中心に角度αだけ左に回動させ固定したときには、レバー９の突出部８下端が連結棒５の下部突起４ｂを鉛直方向に前記ストローク分だけ押し下げ、また、図４に示すように、レバ−９を中央の固定位置から角度αだけ右に回動させて固定したときには、レバー９の突出部８上端が連結棒５の上部突起４ａを鉛直方向に前記ストローク分だけ押し上げることとなる。
【００１２】
上記構成において、レバ−９を中央に固定させる場合は、連結棒５は上部突起４ａが突出部８上端に当接している位置から下部突起４ｂが突出部８下端に当接している位置までの間、つまりシャッター３を全閉から全開させるのに必要なストローク分自由に上下に回動できるので、連結棒５に連動されたシャッター３は室内外の差圧に応じて自由に回動することができる。
【００１３】
次に、レバ−９を中央の固定位置を中心に角度αだけ左に回動させた場合は、レバー９の突出部８下端が、連結棒５の下部突起４ｂを鉛直方向にシャッター３が全閉になる位置まで押し下げ保持するので、シャッター３を強制的に全閉することができる。
【００１４】
次に、レバー９を中央の固定位置を中心に角度αだけ右に回動させた場合は、レバー９の突出部８上端が連結棒５の上部突起４ａを鉛直方向にシャッター３が全開になる位置まで押し上げ保持するので、シャッター３を強制的に全開することができる。
【００１５】
このように本発明の実施の形態１の差圧式自然給気口によれば、室内と室外の差圧によってシャッター３を回動させる場合には、レバ−９の固定位置を中央に、室外と室内を遮断したい場合は、レバ−９を中央の固定位置より左に、シャッター３を全開させる場合には、レバ−９を中央の固定位置より右に位置させることにより、容易にシャッター３の開閉状態を選択できるので、外風の流入、騒音の侵入の影響が大きい場合は、レバー９を左に回動させて外風の流入および騒音の侵入を遮断でき、室内外の差圧が小さく給気風量が得られない場合は、レバー９を右に回動操作することにより、最大限の給気風量を確保できる差圧式自然給気口を提供することができる。
【００１６】
（実施の形態２）
図５に示すように、レバー９ａの突出部８ａを、レバ−９ａの回動軸中心を通る水平方向に対してレバー９ａの回動可能角度２αの１／４ずつ傾けて鋭角に突出させ設ける。
【００１７】
上記構成において、レバー９ａの突出部８ａ上端が上部突起４ａを押し上げる力をＦa とし、このＦa を水平方向と垂直方向に分解した力をＦxa，Ｆyaとすると、
Ｆxa＝Ｆa ｓｉｎα／２
Ｆya＝Ｆa ｃｏｓα／２
となり、上部突起４ａがＡ点からＢ点まで移動する間のΣＦxaが小さく、ΣＦyaが大きい方が連結棒５を鉛直方向に円滑に動かすのには望ましい。そこで、Ｘ軸を突出部８ａ上端の回動角度θとし、Ｙ軸を突出部８ａが突起４を押す力Ｆとしてグラフを描くと図６のようになる。このとき、突出部８ａ上端が水平となる位置をθ＝０、反時計回りを正とする。上部突起４ａをＡ点からＢ点まで動かすときの突出部８ａ上端の回動角度はαだから、ΣＦxaが最小で、ΣＦyaが最大となる突出部８ａ上端の回動角度θは
−α／２＜θ＜α／２
となる。
【００１８】
Ａ点にあるときの突出部８ａの上端と、θ＝０となる突出部８ａ上端とがなす角度α／２は、レバ−９ａの回動軸中心を通る水平線と、突出部８ａの上端とがなす角度βと錯角の関係にあるので、レバ−９ａの回動軸中心を通る水平線に対する突出部８ａの上端の傾きはα／２となる。さらに、突出部８ａと上部突起４ａ，下部突起４ｂの形状、位置関係は、レバ−９ａの回動軸中心を通る水平線に対して対称であるので、レバ−９ａの突出部８ａ下端が下部突起４ｂを押し下げる場合も同様に、レバ−９ａの回動軸中心を通る水平線に対する突出部８ａの下端の傾き角γはα／２となる。
【００１９】
このように本発明の実施の形態２の差圧式自然給気口によれば、レバ−９ａの左右回動操作をより円滑にしてシャッター３の開閉操作を行なうことができる。
【００２０】
（実施の形態３）
図７に示すように、室内外の差圧によるシャッター（図示せず）の開度を調整自在とするおもり１０を連結棒５に設けた穴部１１に取り付け可能な構成とする。
【００２１】
上記構成において、おもり１０を連結棒５の穴部１１に螺合させ、またはねじ止めにより、連結棒５の自重を調整でき、連動するシャッター（図示せず）の開度が調整自在となる。
【００２２】
このように本発明の実施の形態３の差圧式自然給気口によれば、おもり１０を連結棒５の穴部１１に取り付けられる構成としたので、連結棒５の自重を調整し、シャッター（図示せず）の開度を変更してシャッターを回動させるのに必要な室内外の差圧を調整することができ、住宅の気密度等の条件の違いによる室内外の差圧の変化に対応できる。また、穴部１１は前面下部にあり、容易に取り付けできる。
【００２３】
（実施の形態４）
図８に示すように、おもり１０を、連結棒５の突起（図示せず）の所定の位置に設けた２箇所の穴部１１ａに取り付け可能な構成とする。
【００２４】
上記構成において、おもり１０を連結棒５の穴部１１ａに螺合させ、またはねじ止めにより連結棒５の自重を調整でき、連動するシャッター（図示せず）の開度が調整自在となるとともに、突起（図示せず）としての機能を果たしことになる。
【００２５】
このように本発明の実施の形態４の差圧式自然給気口によれば、おもり１０を、連結棒５の突起の所定の位置に設けた２箇所の穴部１１ａに取り付け可能な構成としたので、おもりが連結棒５の突起としての機能を果たし、別途おもり１０の取付位置を確保することなく安価に実現できる。
【００２６】
（実施の形態５）
図９に示すように、筒体（図示せず）の室内側端部に設けたフランジ部７に質量等が異なるおもり１０ａを係脱自在とした係合部１２を設け、係合部１２の近傍に、使用環境に応じて使用するおもり１０ａの種類を表示する表示部１３を設ける。なお、おもり１０ａの種類を表示する表示部には、例えば、おもり自身の質量、このおもりを使用したときのシャッターが開く室内静圧が表示される。
【００２７】
上記構成において、おもり１０ａを係合部１２に係合させて固定し、係合部１２近傍の表示部１３から使用環境に応じたおもり１０ａを選択して連結棒（図示せず）の自重調整に使用する。
【００２８】
このように本発明の実施の形態５の差圧式自然給気口によれば、質量等の異なるおもり１０ａをフランジ部７に設けた係合部１２に固定し、この近傍におもり１０ａの種類を表示する表示部１３を設ける構成としたので、おもりの質量等を選択して連結棒の自重調整をすることによって、シャッタ−の開度を変更でき、さらにおもり１０ａが係合部に保持され紛失することがなく、取り出しが容易であり、さらに使用環境に応じて必要なおもり１０ａが一目で分かり、間違うことなくおもりの選択ができる。
【００２９】
【発明の効果】
以上の実施の形態から明らかなように、外壁に設けた開口に挿入して固定され、室内と室外を連通する筒体に回動自在に支持されて、前記筒体を開閉するシャッターを備え、前記シャッターを室内と室外の差圧によって開く状態と、強制的に閉じる状態と、強制的に開く状態とに選択して操作する差圧式自然給気口の構成としたので、室内外の差圧が小さい場合でも最大限の給気風量を確保し、外風の流入、騒音の侵入を遮断できる差圧式自然給気口を提供できる。
【００３０】
また、筒体に回動自在に支持された１枚以上のシャッターと、前記１枚以上のシャッターを連結して連動させ、下部２箇所に突起を有する連結棒とを備え、前記連結棒を保持する受け部を前記筒体の室内側端部に設けたフランジ部に設け、前記連結棒の２箇所の突起に当接する突出部を有し、前記連結棒を上下に可動させ、保持するレバーを設けたので、レバ−の操作により、容易にシャッタ−の開閉状態を選択できる。
【００３１】
レバ−が中央に位置する状態において、シャッターを全開に回動させるのに必要なストローク分だけ連結棒が上方に移動したときに、前記連結棒の下部突起を前記レバーの突出部下端に当接させ、かつ前記連結棒が前記シャッターが閉じる状態まで下がったとき、前記連結棒の上部突起を前記レバーの突出部上端に当接させるように鉛直方向に離して前記上部突起と前記下部突起を配設した連結棒を設けたので、室内外の差圧に応じてシャッタ−が自由に回動できる。
【００３２】
また、レバーの突出部を前記レバ−の回転軸中心を通る水平方向に対してレバーの回転可能角度２αの１／４ずつ傾けて鋭角に突出させ設けたので、レバ−の左右回動操作をより円滑にしてシャッターの開閉操作を行なうことができる。
【００３３】
また、室内外の差圧によるシャッター開度を調整自在とするおもりを連結棒に取り付けられる構成としたので、住宅の気密度等の条件の違いによる室内外の差圧の変化に対応できる。
【００３４】
また、連結棒におもりを取り付ける穴部を設け、前記連結棒の突起と共用できる構成としたので、おもりが連結棒の突起としての機能も果たし、別途おもりの取付位置を確保することなく安価に実現できる。
【００３５】
また、異なる質量のおもりを選択自在に設けたので、おもりの質量等を選択して連結棒の自重調整をすることによって、シャッタ−の開度を変更できる。
【００３６】
また、筒体の室内側端部に設けたフランジ部におもりを係脱自在とした係合部を形成したので、おもりが係合部に保持され紛失することがなく、取り出しが容易となる。
【００３７】
また、フランジ部におもりの種類を表示する表示部を設けた構成としたので、使用環境に応じて必要なおもりが一目で分かり、間違うことなくおもりの選択ができる。
【図面の簡単な説明】
【図１】本発明の実施の形態１の差圧式自然給気口を示す正面図
【図２】同差圧式自然給気口を示す側面断面図
【図３】同差圧式自然給気口を示す正面図
【図４】同差圧式自然給気口を示す正面図
【図５】本発明の実施の形態２の差圧式自然給気口を示す部分正面図
【図６】同差圧式自然給気口の突出部が突起を押す力Ｆと突出部上端の回動角度θの関係を示すグラフ
【図７】本発明の実施の形態３の差圧式自然給気口を示す部分斜視図
【図８】本発明の実施の形態４の差圧式自然給気口を示す部分斜視図
【図９】本発明の実施の形態５の差圧式自然給気口を示す部分正面図
【図１０】従来の差圧式自然給気口を示す概略側面図
【図１１】従来の差圧式自然給気口を示す概略側面図
【符号の説明】
１        外壁
２        筒体
３        シャッター
４        突起
４ａ      上部突起
４ｂ      下部突起
５        連結棒
６        受け部
７        フランジ部
８        突出部
８ａ      突出部
９        レバー
１０        おもり
１０ａ      おもり
１１        穴部
１１ａ      穴部
１２        係合部
１３        表示部
【図１】
0003645429.tif 000002
【図２】
0003645429.tif 000003
【図３】
0003645429.tif 000004
【図４】
0003645429.tif 000005
【図５】
0003645429.tif 000006
【図６】
0003645429.tif 000007
【図７】
0003645429.tif 000008
【図８】
0003645429.tif 000009
【図９】
0003645429.tif 000010
【図１０】
0003645429.tif 000011
【図１１】
0003645429.tif 000012